(57)【特許請求の範囲】
【請求項１】
コンクリート製地中埋設箱の周壁に埋設され、ベルマウス部と、管または管継手が接続される接続部とを備えてなる接続体の該接続部を保護するための保護具であって、
該接続部の内面全周に密接嵌合してその接続部の開口側を閉塞する嵌合部と、前記周壁を形成するための型枠に対して取り外し可能に該保護具を固定するため、釘または六角ボルトを貫通させる固定部とを備え、前記型枠の所望の位置に前記固定部によって固定した状態で、前記嵌合部に前記接続部を嵌合することにより、型枠に対する前記接続体の位置決め固定が可能なことを特徴とする保護具。
【請求項２】
保護具は、外周側となる前記嵌合部と中心側となる前記固定部とを補強桟で連結した円筒状となっており、その反型枠側をフタ部で閉止したことを特徴とする請求項１記載の保護具。
【請求項３】
固定部は、保護具の反型枠側から型枠側に貫通する固定孔であることを特徴とする請求項１または２記載の保護具。
【請求項４】
固定孔は六角ボルトが挿通されるようになっており、該固定孔の反型枠側には、前記六角ボルトの六角部に対応した六角凹所が設けられていることを特徴とする請求項３記載の保護具。
【請求項５】
固定部は、保護具が当接すべき型枠に該保護具を固定する固定手段を貫通させる固定手段貫通部であることを特徴とする請求項１から４のいずれか記載の保護具。
【請求項６】
接続部端面に当接し、前記接続部端面と型枠との間に介在するフランジ部を備えたことを特徴とする請求項１から５のいずれか記載の保護具。
【請求項７】
フランジ部のツバ長さが、周壁に保護具が相互に近接状態で埋設された場合において接続部に接続された管または管継手が相互に邪魔にならない程度の長さとされていることを特徴とする請求項６記載の保護具。
【請求項８】
固定孔に取り外し可能に挿通される六角ボルトを備えたことを特徴とする請求項４から７のいずれか記載の保護具。
【発明の詳細な説明】
【技術分野】
【０００１】
本発明は、コンクリート製地中埋設箱（「ハンドホール」とも言う。）の周壁に埋設され、ベルマウス部と、管または管継手が接続される接続部とを備えてなる接続体の該接続部を保護するための保護具に関する。
【背景技術】
【０００２】
図１４は、本発明の背景技術となる保護具を用いた地中埋設箱の一例を示すもので、（ａ）はその地中埋設箱の全体を示す断面図、（ｂ）はそのうち保護具を設置した部分の要部拡大断面図である。この保護具は、特許文献１に記載されたものである。
【０００３】
この図１４に示す地中埋設箱８０は、コンクリート製であって、蓋７２が開閉可能で、その側壁７１に埋め込まれた複数の接続体７０に保護具６０を着脱可能に取り付けてある。
【０００４】
接続体７０は、側壁７１の内側となるベルマウス部６１と、外側となり、地中埋設箱８０で分岐、合流されることとなる配線等（配線及び配管をいう。）を接続するための接続部６２とを備えている。
【０００５】
保護具６０は、この接続部６２の開口端を閉止して、この接続部６２に、及び、この接続部６２を通過して地中埋設箱８０内部に塵埃などが侵入するのを防止している。
【０００６】
しかしながら、この保護具６０は、単に地中埋設箱８０の側壁７１に埋め込まれた後の接続体７０に後付けで設置され、その後の塵埃侵入防止という限られた役割しか果たさないものであった。
【０００７】
また、この保護具６０は、ごく短寸のものであって、接続部６２の開口端だけを閉止するものなので、この接続部６２に接続される相手方が嵌め合わされる部分が汚れたり、塵埃が付着することを完全に防止できるものではなく、相手方との接着や、シールをする場合の水密性の維持に問題が生じるおそれのあるものであった。
【０００８】
特許文献２及び特許文献３にも、接続体を備えた地中埋設管の記載があるが、これらには、本発明が提供しようとする保護具に類するものの記載はなく、ましてや、その保護具に複数の役割を持たせるという記載もなかった。
【特許文献１】特開２００１−３５９２１１号公報（図１、図２）
【特許文献２】特開平９−２２１７６８号公報（図２）
【特許文献３】実開平２−１０７６４号公報（第５図）
【発明の開示】
【発明が解決しようとする課題】
【０００９】
本発明は、上記の問題を解決しようとするものであり、地中埋設管に接続体を埋め込むにあたって、埋設後の接続部の保護だけでなく、接続体の位置決めと地中埋設管への埋設にも用いることができる多目的な保護具を提供することを目的とする。
【課題を解決するための手段】
【００１０】
請求項１記載の保護具は、コンクリート製地中埋設箱の周壁に埋設され、ベルマウス部と、管または管継手が接続される接続部とを備えてなる接続体の該接続部を保護するための保護具であって、該接続部の内面全周に密接嵌合してその接続部の開口側を閉塞する嵌合部と、前記周壁を形成するための型枠に対して取り外し可能に該保護具を固定するため、釘または六角ボルトを貫通させる固定部とを備え、前記型枠の所望の位置に前記固定部によって固定した状態で、前記嵌合部に前記接続部を嵌合することにより、型枠に対する前記接続体の位置決め固定が可能なことを特徴とする。
【００１１】
請求項２記載の保護具は、請求項１に従属し、保護具は、外周側となる前記嵌合部と中心側となる前記固定部とを補強桟で連結した円筒状となっており、その反型枠側をフタ部で閉止したことを特徴とする。
【００１２】
請求項３記載の保護具は、請求項１または２に従属し、固定部は、保護具の反型枠側から型枠側に貫通する固定孔であることを特徴とする。
【００１３】
請求項４記載の保護具は、請求項３に従属し、固定孔は六角ボルトが挿通されるようになっており、該固定孔の反型枠側には、前記六角ボルトの六角部に対応した六角凹所が設けられていることを特徴とする。
【００１４】
請求項５記載の保護具は、請求項１から４のいずれかに従属し、固定部は、保護具が当接すべき型枠に該保護具を固定する固定手段を貫通させる固定手段貫通部であることを特徴とする。
【００１５】
請求項６記載の保護具は、請求項１から５のいずれかに従属し、接続部端面に当接し、前記接続部端面と型枠との間に介在するフランジ部を備えたことを特徴とする。
【００１６】
請求項７記載の保護具は、請求項６に従属し、フランジ部のツバ長さが、周壁に保護具が相互に近接状態で埋設された場合において接続部に接続された管または管継手が相互に邪魔にならない程度の長さとされていることを特徴とする。
【００１７】
請求項８記載の保護具は、請求項４から７のいずれかに従属し、固定孔に取り外し可能に挿通される六角ボルトを備えたことを特徴とする。
【発明の効果】
【００１８】
請求項１記載の保護具によれば、コンクリート製地中埋設箱の周壁に埋設され、ベルマウス部と、管または管継手が接続される接続部とを備えてなる接続体の該接続部を保護するための保護具であって、該接続部の内面全周に密接嵌合してその接続部の開口側を閉塞する嵌合部と、前記周壁を形成するための型枠に対して取り外し可能に該保護具を固定するため、釘または六角ボルトを貫通させる固定部とを備え、前記型枠の所望の位置に前記固定部によって固定した状態で、前記嵌合部に前記接続部を嵌合することにより、型枠に対する前記接続体の位置決め固定が可能としたので、地中埋設箱に接続体を埋め込むにあたって、埋設後の接続部の保護だけでなく、接続体の位置決めと地中埋設箱への埋設にも用いることができ、多目的を達成することができる。
【００１９】
請求項２記載の保護具によれば、請求項１の効果に加え、保護具は、外周側となる前記嵌合部と中心側となる前記固定部とを補強桟で連結した円筒状となっており、その反型枠側をフタ部で閉止したので、フタ部で閉止し補強桟を設けた円筒状の頑丈な構造となっているので、より強固に接続体を保持し、コンクリート打設への対抗力を増加させる。
【００２０】
請求項３記載の保護具によれば、請求項１または２の効果に加え、固定孔を用いて、取り外し可能に型枠に固定可能であり、上記効果を確実に発揮することができる。
【００２１】
請求項４記載の保護具によれば、請求項３の効果に加え、六角ボルトを用いて型枠に固定する際、保護具側に回転規制手段が不要となり、固定締付が為やすい。
【００２２】
請求項５記載の保護具によれば、請求項１から４のいずれかの効果に加え、六角ボルト以外に釘などの固定手段でも型枠への固定が可能であり、現場での固定手段の選択が可能となる。
【００２３】
請求項６記載の保護具によれば、請求項１から５のいずれかの効果に加え、接続部端面に当接し、前記接続部端面と型枠との間に介在するフランジ部を備えたので、接続体が多少傾いて地中埋設箱の周壁に埋設されたとしても、その接続部に接続される管継手などを周壁に垂直な状態で接続することができる。
【００２４】
請求項７記載の保護具によれば、請求項６の効果に加え、フランジ部のツバ長さが、周壁に保護具が相互に近接状態で埋設された場合において接続部に接続された管または管継手が相互に邪魔にならない程度の長さとされているので、型枠に保護具を隣接して固定する際に、相互の間隔を特に距離を測って位置決めすることなく、単に、フランジ部が当接するように固定するだけで、その後、接続体に管継手などを設置した場合に、相互に邪魔にならないように、干渉しないようにすることができる。
【００２５】
請求項８記載の保護具によれば、請求項４から７のいずれかの効果に加え、固定孔に取り外し可能に挿通される六角ボルトを備えたので、現場で別個に六角ボルトを用意する必要がなく、便利である。
【発明を実施するための最良の形態】
【００２６】
以下に、本発明の実施の形態（実施例）について、図面を用いて説明する。
【実施例１】
【００２７】
図１は、本発明の保護具の一例を示すもので、（ａ）はその正面図、（ｂ）はその裏面図、（ｃ）は（ａ）のＡＡ断面図、（ｄ）は（ａ）のＢＢ断面図、（ｅ）はその外観斜視図である。
【００２８】
この保護具１０は、コンクリート製地中埋設箱３０（図５（ｂ）参照。「ハンドホール」とも称される。）の周壁２１（図５（ｂ）参照。）に埋設され、ベルマウス部１１と、管または管継手が接続される接続部１２とを備えてなる接続体２０（図２参照。）の接続部１２を保護するために用いられる。
【００２９】
その特徴は、接続部１２の内面全周に密接嵌合してその接続部１２の開口側を閉塞する嵌合部１と、周壁２１を形成するための型枠ＷＦ（図３（ａ）参照。）に対して取り外し可能に該保護具を固定するための固定部２とを備えたことにある。
【００３０】
保護具１０は、上記の構成に加え、外周側となる嵌合部１と中心側となる固定部２とを補強桟３で連結した円筒状となっており、その反型枠側をフタ部５で閉止したものとなっている。
【００３１】
更に、保護具１０は、接続部１２の端面に当接し、前記接続部１２の端面と型枠ＷＦとの間に介在するフランジ部４（図３（ｃ）参照。）を備えている。
【００３２】
固定部２は、より具体的には、六角ボルト６（図３（ａ）参照。）の軸部が挿入される、保護具１０の反型枠側から型枠側に貫通する固定孔２ａと、この固定孔２ａの反型枠側に設けられ、六角ボルト６の六角部に対応した六角凹所２ｂとを備えている。
【００３３】
また、この保護具１０においては、上記の固定部２（固定孔２ａと六角凹所２ｂ）以外に、フタ部５から型枠ＷＦ側に固定手段である釘を打ち込んで、保護具１０を型枠ＷＦに固定するための固定手段貫通部２Ａも併せて備えている。
【００３４】
この固定手段貫通部２Ａは、型枠ＷＦへの取り付けに用いる釘が抵抗なく打ち込めるような孔径の貫通孔であり、その釘を打ち込んだ場合でも、保護具１０が破損しないようなものである。
【００３５】
また、固定手段貫通部２Ａは完全に貫通するものではなく、その一部に釘の打ち込みで簡単に破れる閉止部２ｃが形成されている。この閉止部２ｃは後述するように、この保護具１０を取り付けた状態の地中埋設箱３０の内部が、この保護具１０から侵入する塵埃などで汚染されないようにするものである。
【００３６】
図２は、図１の保護具が用いられる接続体の一例を示すもので、（ａ）はその正面図、（ｂ）はその要部断面図、（ｃ）はその外観斜視図である。
【００３７】
この接続体２０は、上述したように、コンクリート製地中埋設箱３０（図５（ｂ）参照。）の周壁２１（図５（ｂ）参照。）に埋設され、全体として筒状であり、ベルマウス部１１と、管または管継手が接続される接続部１２とを備えている。
【００３８】
ベルマウス部１１は、地中埋設箱３０に内側に開口して、この接続体２０を通って来た配線等を導くものであり、その内径は開口側となるにつれ拡径している。外形には、補強のための軸方向へのリブ１１ａが円周を等分するように設けられている。
【００３９】
ベルマウス部１１の開口側端面には、フランジ部１１ｂが設けられている。このフランジ部１１ｂは、地中埋設箱３０に内側に導入される配線等が直接、コンクリートである地中埋設箱３０の壁縁に触れて汚損しないようにするためである。
【００４０】
接続部１２は、その内径に嵌め込まれる管または管継手に合わせて真っ直ぐな円筒状であり、その内径は一様である。外周には、適宜リング状の突起１２ｃが設けられている。この突起１２ｃは、打設されたコンクリートが固化した際、この接続体２０が軸方向に移動しないように規制するこのである。
【００４１】
なお、上述のベルマウス部１１の外周のリブ１１ａも同様に固化したコンクリートに対して、接続体１２が動かないようにする役割を持つが、この場合は、接続体１２がコンクリートに対して回転しないようにするものである。
【００４２】
接続部１２の開口端はフランジ部１２ａとなっており、その内縁は、斜面状のガイド部１２ｂとなっており、この接続部１２の内径に嵌め込まれる管または管継手が入れやすくなるようにガイドする。
【００４３】
図３は、図１の保護具を図２の接続体と組み合わせて用いる使用方法を説明するもので、（ａ）は保護具を型枠に取り付けた状態の断面図、（ｂ）は（ａ）を保護具側から見た図、（ｃ）は（ａ）にさらに接続体を設置した状態の断面図、図４は、図３に続いて保護具の使用方法を説明するもので、（ａ）は接続体の反対側に型枠を設置した状態の断面図、（ｂ）は（ａ）にコンクリートを打設した状態の断面図である。
【００４４】
図５は、図４に続いて保護具の使用方法を説明するもので、（ａ）はコンクリート打設後型枠を取り外した状態の断面図、（ｂ）は（ａ）から六角ボルトを取り外した状態の断面図、図６は、図５に続いて保護具の使用方法を説明するもので、（ａ）は地中埋設箱の接続体に管継手を挿入する状態の断面図、（ｂ）はその後、波付き管を接続した状態の図である。
【００４５】
これらの図３から図６によって、本発明の保護具の使用方法を以下に説明する。
【００４６】
図３（ａ）：まず、地中埋設箱３０の周壁２１を形成する一方の型枠ＷＦの接続体２０を埋め込みたい位置に固定孔を開け、これを用いて固定手段である六角ボルト６で保護具１０を型枠ＷＦに固定する。
【００４７】
この際、固定部２の六角凹所２ｂに六角ボルト６の頭部が嵌まり込んで、保護具１０に対して、六角ボルト６が相対的に回転することがなく、保護具１０のフランジ部４を型枠ＷＦに当接した状態では、六角ボルト６のネジ部の先端にネジ係合させた六角ナット６ａを回転して締め付ける際、保護具１０側を特に回転規制することなく、締付ができるので作業性がよい。
【００４８】
なお、型枠ＷＦ側に六角ボルト６の頭部を持ってきて、保護具１０の六角凹所２ｂに六角ナット６ａを嵌めて締め付けるようにしてもよい。
【００４９】
また、六角ボルト６を用いることなく、保護具１０側から、その固定部（固定手段貫通部）２Ａを用いて保護具１０を型枠ＷＦに固定手段である釘を用いて固定するようにしてもよい。
【００５０】
つまり、この保護具１０では、固定部２を用いた六角ボルト６による固定と、固定部（固定手段貫通部）２Ａを用いた釘による固定の内から、現場での状況に合わせて選択的に用いることができるので、適用性が高い。
【００５１】
図３（ｂ）：つぎに、固定された保護具１０の嵌合部１に接続体２０の接続部１２を嵌め込む。この際、嵌合部１と接続部１２との嵌め合いは、それぞれの素材の弾性変形の範囲内で、相互にガタつきなく嵌め合う程度のものとなっているので、嵌め込み後、手を離しても、接続体２０が脱落することもない。
【００５２】
図４（ａ）：つぎに、反対側の型枠ＷＦを、接続体２０を挟むようにして設置する。この際、接続体２０の全長、あるいは、この全長に、保護具１０のフランジ部４の厚みを加えた長さで、型枠ＷＦ間の距離、ひいては、これらの型枠ＷＦにより形成される周壁２１の厚さが決定される。
【００５３】
図４（ｂ）：その後、型枠ＷＦの間にコンクリートＫを打設する。図中において、２本の隣接する斜線で示しているのが打設されたコンクリートＫである。
【００５４】
この際、保護具１０は、その固定部２に挿嵌された六角ボルト６で強固に型枠ＷＦに締付固定され、その嵌合部１で接続体２０を強固に保持するので、コンクリートの打設に打ち勝って、接続体２０の位置と姿勢を維持することができる。
【００５５】
また、この保護具１０は、嵌合部１と固定部２とを補強桟３で連結した円筒状となっており、その反型枠側をフタ部５で閉止した頑丈な構造となっているので、より強固に接続体２０を保持し、コンクリート打設への対抗力を増加させる。
【００５６】
なお、この保護具１０では、フタ部５は、反型枠側にだけ設けられ、型枠ＷＦ側は補強桟３などが見える開放状態となっている。したがって、この保護具１０を取り除く際には、補強桟３などの部分の空き空間に指先を差し入れて、簡単に取り外すことができるので、便利が良い。
【００５７】
さらに、この保護具１０の嵌合部１は、接続体２０の全長の３分の１以上の長さに渡って、その接続部１２に嵌合しているので、コンクリートの打設に打ち勝って、さらにより強固に接続体２０を保持し、コンクリート打設への対抗力を増加させる。
【００５８】
また、保護具１０の嵌合部１は、接続体２０の接続部１２については、その全長の半分以上の内周にわたって嵌合しているので、この部分に内外の塵埃などが付着したりすることを防止することができ、後述する管継手ＰＪの接着接合や、シールによる水密維持に悪影響を与えることがない。
【００５９】
図５（ａ）：コンクリート打設が終了し、コンクリートが固化したら、六角ボルト６を締め付けている六角ナット６ａを取り外し、型枠ＷＦを取り除くと、この図の状態となる。
【００６０】
図５（ｂ）：図５（ａ）の状態から、六角ボルト６を地中埋設箱３０の周壁２１の外側（図の右側）から内側（図の左側）へと押すと、六角ボルト６が外れて、この図の状態となる。
【００６１】
保護具１０でその開口側からの塵埃の侵入がないように保護された接続体２０をその周壁２１に適宜備えた地中埋設箱３０としては、この状態で、地中埋設に用いることができる完成品の状態であり、この状態で、搬送、取り扱い、販売、使用され、その間、接続体２０の開口側は、保護具１０によって保護され、外部からの塵埃の侵入を防止することができる。
【００６２】
加えて、この保護具１０は、図３、４でも説明したように、型枠ＷＦへの接続体２０の位置決め、固定、コンクリート打設中の接続体２０の位置と向きの維持という複数の役割を果たしており、多目的なものであることが解る。
【００６３】
図６（ａ）：こうして用意された地中埋設箱３０の使用方法の一例を示すものである。この例では、周壁２１に埋設された接続体２０の保護具１０を取り去り、接続体２０の接続部１２の内周と、ここに挿嵌すべき管継手ＰＪの接続部Ｐａの外周に接着剤を塗布し、その後、管継手ＰＪの接続部Ｐａを接続体２０の接続部１２にはめ込む。
【００６４】
その後、この管継手ＰＪの管接続部Ｐｂ（これは、図面では、明確ではないが、四角型の波付管が接続可能となっている。）に波付管を接続することができる。
【００６５】
なお、この図６（ａ）と図５（ｂ）との比較から解るように、管継手ＰＪを接続する前に、保護具１０を取り去ったのちには、地中埋設箱３０の周壁２１と、接続体２０の外側となる接続部１２のフランジ部１２ａとの表面との間には、取り去った保護具１０のフランジ部４の厚さ分だけの段差Ｄが生じている。
【００６６】
このような段差Ｄを生じさせる保護具１０のフランジ部４は、ごく薄いものであるが、たとえ、接続体２０の周壁２１への埋め込みに多少の傾きがあったとしても、接続体２０の外側表面であるフランジ部１２ａの表面が、周壁２１の表面から飛び出ないようにして、この周壁２１面を基準として、直角方向に設置すべき管継手などの設置に支障がないようにするためである。
【００６７】
図６（ｂ）：地中埋設箱３０の他の使用方法は、この図に示すように、周壁２１に設置された接続体２０の接続部１２にちょうど隙間なくはまりこむ円形の波付管ＰＷを接続するというものである。
【００６８】
こうして、地中埋設箱３０を地中に設置し、そのそれぞれの接続体２０に波付管ＰＷや管継手ＰＪを接続した後には、それぞれの波付管や管継手を介して接続される波付管を介して、必要な配線等が、この地中埋設箱３０において、分岐、合流などさせられ、地中埋設箱３０としての機能を発揮する。
【００６９】
この際、本発明の保護具１０は、地中埋設箱３０を製造するための接続体２０の位置決め、固定、コンクリート打設中の接続体２０の位置と向きの維持に加えて、接続体２０の開口部の保護という多種の役割を果たし、より安価にまた、正確に接続体２０の位置と方向が保持された地中埋設箱３０の提供を可能としている。
【００７０】
なお、本発明の保護具１０は、その固定手段である六角ボルト６、及び必要に応じこの六角ボルト６用ナット６ａをセットにしたものとしてもよく、その場合には、別途固定手段を用意する必要がないので、便利である。
【実施例２】
【００７１】
図７は、本発明の保護具の他例を示すもので、（ａ）はその正面図、（ｂ）はその外観斜視図である。
【００７２】
この保護具１０Ａは、図１の保護具１０にくらべ、フランジ部４Ａが、よりツバ広で、その外形が四角形となっている点が異なっている。
【００７３】
より具体的には、このフランジ部４Ａは、そのツバ長さが、地中埋設箱３０の周壁２１に、保護具１０Ａによって位置決めされて、接続体２０が相互に近接状態で埋設されるべき場合において、接続部１２に接続された管または管継手が相互に邪魔にならない程度の長さとされているものである。
【００７４】
このようなフランジ部４Ａを備えた保護具１０Ａの作用効果について、図８を用いて説明する。図８は、図７の保護具の使用方法を説明するもので、（ａ）はその保護具を地中埋設箱に設置した状態の断面図、（ｂ）は（ａ）を保護具側から見た図、（ｃ）は（ａ）に管継手を設置した状態の断面図、（ｄ）は（ｃ）を管継手側から見た図である。
【００７５】
この保護具１０Ａを用いる場合、そのフランジ部４Ａが隣同士突き合わされるように型枠ＷＦに固定する。この例では、フランジ部４Ａの外縁端が上下隣同士当接するように型枠ＷＦに固定する。
【００７６】
そして、先に、図４、５で説明したように接続体２０を取り付け、コンクリート打設すると、その周壁２１Ａ（地中埋設箱３０Ａ）は、図８（ａ）のような断面で、図８（ｂ）のように上下の保護具１０Ａのフランジ部４Ａ同士が上下当接している状態となる。
【００７７】
この後、保護具１０Ａを取り去り、管継手ＰＪをそれぞれはめ込むと、図８（ｂ）、（ｃ）の状態になる。
【００７８】
この状態で、接続体２０より一回り大きいサイズの管継手ＰＪが相互に干渉しないで、つまり、相互に邪魔にならないように、適切な隙間を介して設置することができている。
【００７９】
こうして、保護具１０Ａによれば、型枠ＷＦに隣接して固定する際に、相互の間隔を特に距離を測って位置決めすることなく、単に、フランジ部４Ａが当接するように固定するだけで、その後、接続体２０に管継手ＰＪなどを設置した場合に、相互に邪魔にならないように、干渉しないようにすることができる。
【００８０】
なお、このフランジ部４Ａの形状は、後に接続すべき管継手ＰＪなどの形状に合わせておくのがよい。この例では、管継手ＰＪの形状が四角形なので、フランジ部４Ａの形状も四角としたが、管継手の形状が、丸型や他の高く形状の場合は、それにあわせるのが良い。
【００８１】
また、特にこの例のように、フランジ部の形状が四角形状の保護具１０Ａの場合は、現場施工時において、積み上げ性がよく、現場での要請に応じ、容易に縦横に配置し、積み上げ状態を形成することができる。
【実施例３】
【００８２】
図９は、図１の保護具を用いた接続ブロックの一例を示すもので、（ａ）はその正面図、（ｂ）はその断面図、（ｃ）はその外観斜視図、（ｄ）、（ｅ）は接続ブロックの他例を示す正面図である。
【００８３】
この図９に示す接続ブロック４０、４０Ａ、４０Ｂは、保護具１０と、接続体２０とを予めコンクリートＫのブロックに埋め込んだものを何種類か用意しておいて、それを必要に応じて組み合わせて、大きな開口を有する地中埋設箱３０Ｂに現場工事で組み込んで使うようにしたものである。
【００８４】
図９（ａ）、（ｂ）、（ｃ）は、一組の保護具１０と接続体２０とを埋設した最小単位の接続ブロック４０であって、その外形寸法は、実施例２で説明したように、この接続ブロックに接続すべき管あるいは管継手の外形寸法に合わせて設定されるものである。
【００８５】
接続ブロックの種類は、現場工事で要請されるものに対応して決められるが、最小単位の一個組のもの（４０）から、二個組み、三個組み、図９（ｄ）に示す４個組み（４０Ａ）、図９（ｅ）に示す６個組み（４０Ｂ）などを適宜用意しておくのが良い。
【００８６】
この接続ブロックの使用方法を、図１０を用いて説明する。図１０は、図９の接続ブロックの使用方法を説明するもので、（ａ）は接続ブロックを地中埋設箱に設置する状態の断面図、（ｂ）は（ａ）を地中埋設箱の外側から見た図、（ｃ）は（ａ）に管継手、波付管を接続し、モルタル打設した状態の断面図、（ｄ）は（ｃ）を波付管の方から見た図である。
【００８７】
なお、図１０（ａ）、（ｃ）の断面図は、いずれも接続ブロック４０Ｂの部分の断面図を示している。
【００８８】
まず、図１０（ａ）、（ｂ）に示すように、地中埋設箱３０Ｂの大きな開口に、一列三個組の小型の接続ブロック４０Ｃと、４個組の接続ブロック４０Ｂとを配置し、内側を押さえ板ＷＰで規制し、開口との隙間にモルタルＭを打ち込む。
【００８９】
モルタルが固化したら、それぞれの接続部に管継手ＰＪ、波付管ＰＷ′を接続して、その接続部付近をモルタル固定すると、図１０（ｄ）、（ｃ）の状態となる。
【００９０】
このように、この接続ブロック４０〜４０Ｃは、現場での要求に合わせて、必要な大きさと個数の接続体２０が必要な場合に用いられる。
【実施例４】
【００９１】
図１１は、本発明の保護具の他例を示すもので、（ａ）はその正面図、（ｂ）はその側面図、（ｃ）はその底面図、（ｄ）は（ａ）のＡＡ断面図、（ｅ）はその外観斜視図である。
【００９２】
この保護具１０Ｂは、図１の円筒形上の保護具１０と異なり、より小型であって、図１２の接続体２０Ａの四角形の接続部１２Ａの内周部分を保護するもので、その全体形状も四角筒形状となっている。
【００９３】
保護具１０Ｂは、それぞれ図１の保護具１０の各部分と同様の機能を発揮する嵌合部１Ａ、１Ｂ、固定部２、２Ａ、補強桟３Ａ、フランジ部４Ａ、フタ部５Ａを備えているが、全体として、それぞれの部分は、四角筒形状に対応したものとなっている。
【００９４】
固定部２、２Ａは図１の保護具１０の固定部２、２Ａと共通している。
【００９５】
嵌合部１Ａ、１Ｂは、よりフランジ部４Ａ側であって、より外寸の大きい前嵌合部１Ａと、これに続いて、より外寸の小さい奥嵌合部１Ｂとで構成されている。前嵌合部１Ａと奥嵌合部１Ｂとの接続部分には、外寸が異なることによる段差がある。
【００９６】
前嵌合部１Ａは、四角形の全辺に渡るものではなく、一辺については、奥嵌合部１Ｂと同じ外寸で連続した部分となっている。
【００９７】
前嵌合部１Ａのフランジ部４Ａ側で、相対する二辺については、嵌め合い凸部７が設けられている。
【００９８】
このような前嵌合部１Ａ、奥嵌合部１Ｂ、嵌め合い凸部７の構成は、図１２の接続体２０Ａの接続部１２Ａの構成に対応したものである。
【００９９】
図１２は、図１１の保護具が用いられる接続体の他例を示すもので、（ａ）はその正面図、（ｂ）はその横面図、（ｃ）はその側面図、（ｄ）は、（ｂ９のＢＢ断面図、（ｅ）はその外観斜視図である。
【０１００】
この接続体２０Ａは、図２の接続体２０に比べ、そのベルマウス部１１Ａと接続部１２Ａとが地中埋設箱の周壁に埋め込まれる点は共通するが、より小型であって、その接続部１２Ａは、図６の管継手ＰＪを一体化したものである点が異なっている。
【０１０１】
そのベルマウス部１１Ａは、全体として四角筒状であり、地中埋設箱の内面側となる外形円形のフランジ部１１ｃと、その外周に図２の接続体２０の接続部１１の外周にあるリング状の突起１２ｃと同様の機能を発揮する突起１１ｄを備えている。
【０１０２】
接続部１２Ａも全体として四角筒状であり、より小寸のベルマウス部１１Ａとは、双方の寸法差を埋める中間壁１３で接続され、この中間壁１３には、この接続体２０Ａで接続されるべき配線等を通過させる通過窓１３ａが設けられている。
【０１０３】
接続部１２Ａの内周側は、ここに嵌め込まれる波付管とこの波付管をワンタッチで抜け止め係合させる抜け止め具（本発明の要旨に関係しないので、詳しい説明は省略する。）とをはめ込むための前嵌め穴１２ｄと、奥嵌め穴１２ｅとが設けられている。
【０１０４】
また、接続部１２Ａには、加えて、上記抜け止め係合のための、係合穴１４、嵌め合い凹所１５及び係止ネジ穴部１６が設けられている。これらについても、同様に詳しい説明は省略する。
【０１０５】
上記のような構成の保護具１０Ｂ、接続体２０Ａの使い方について、図１３を用いて説明する。図１３は、図１１の保護具を図１２の接続体と組み合わせて用いる使用方法を説明する斜視図である。
【０１０６】
この場合も、まず、保護具１０Ｂを形枠ＷＦに固定部２あるいは２Ａを用いて固定し、この固定された保護具１０Ｂの前嵌合部１Ａと奥嵌合部１Ｂとに、接続体２０Ａの接続部１２Ａの前嵌め穴１２ｄと奥嵌め穴１２ｅとが嵌り込むようにして固定し、コンクリート打設を行う。
【０１０７】
この際、接続体２０Ａの開口部分となる係合穴１４や、係止ネジ穴部１６は粘着テープなどで閉止しておくようにするのが良い。
【０１０８】
その後、打設が済んだら、形枠ＷＦを外して、地中埋設箱が使用可能な状態となる。  この際、保護具１０Ｂは、保護具１０と同じ作用効果を発揮する。
【０１０９】
なお、上記では、本発明の保護具の実施例を説明したが、以下に纏めるように、この実施例は、本発明の保護具の発明の範囲を上記具体例に限定するものではない。
【０１１０】
＜上記実施例が内包する発明の内容＞
以上の説明した本発明の実施例には、以下のような発明の思想（その作用効果も含む。）が含まれることが解る。
【０１１１】
１．コンクリート製地中埋設箱３０の周壁２１に埋設され、ベルマウス部１１と、管または管継手が接続される接続部１２とを備えてなる接続体２０の該接続部１２を保護するための保護具１０であって、
接続部１２の内面全周に密接嵌合してその接続部１２の開口側を閉塞する嵌合部１と、周壁２１を形成するための型枠ＷＦに対して取り外し可能に保護具１０を固定するための固定部２とを備えたことを特徴とする保護具１０。
【０１１２】
このような保護具１０によれば、地中埋設管３０に接続体１２を埋め込むにあたって、埋設後の接続部１２の保護だけでなく、接続体２０の位置決めと地中埋設管３０への埋設にも用いることができ、多目的を達成することができる。
【０１１３】
２．外周側となる嵌合部１と中心側となる固定部２とを補強桟３で連結した円筒状となっており、その反型枠側をフタ部５で閉止したことを特徴とする保護具１０。
【０１１４】
この保護具１０によれば、フタ部５で閉止し補強桟３を設けた円筒状の頑丈な構造となっているので、より強固に接続体２０を保持し、コンクリート打設への対抗力を増加させる。
【０１１５】
３。固定部２は、保護具の反型枠側から型枠側に貫通する固定孔２であることを特徴とする保護具１０。
【０１１６】
この保護具１０によれば、固定孔２を用いて、取り外し可能に型枠ＷＦに固定可能であり、上記効果を確実に発揮することができる。
【０１１７】
４．固定孔２は六角ボルト６が挿通されるようになっており、固定孔２の反型枠側には、前記六角ボルト６の六角部に対応した六角凹所２ｂが設けられていることを特徴とする保護具１０。
【０１１８】
この保護具１０は、六角ボルト６を用いて型枠ＷＦに固定する際、保護具１０側に回転規制手段が不要となり、固定締付が為やすい。
【０１１９】
５．固定部２Ａは、保護具１０が当接すべき型枠ＷＦに該保護具１０を固定する固定手段（釘）を貫通させる固定手段貫通部２Ａであることを特徴とする保護具１０。
【０１２０】
この保護具１０によれば、六角ボルト以外に釘などの固定手段でも型枠ＷＦへの固定が可能であり、現場での固定手段の選択が可能となる。
【０１２１】
６．接続部１２端面に当接し、前記接続部１２端面と型枠ＷＦとの間に介在するフランジ部４を備えたことを特徴とする保護具１０。
【０１２２】
この保護具１０によれば、接続体２０が多少傾いて地中埋設箱３０の周壁２１に埋設されたとしても、その接続部１２に接続される管継手などを周壁２１に垂直な状態で接続することができる。
【０１２３】
７．フランジ部４Ａのツバ長さが、周壁に保護具が相互に近接状態で埋設された場合において接続部に接続された管または管継手が相互に邪魔にならない程度の長さとされていることを特徴とする保護具１０Ａ。
【０１２４】
この保護具１０Ａによれば、型枠ＷＦに隣接して固定する際に、相互の間隔を特に距離を測って位置決めすることなく、単に、フランジ部４Ａが当接するように固定するだけで、その後、接続体２０に管継手ＰＪなどを設置した場合に、相互に邪魔にならないように、干渉しないようにすることができる。
【０１２５】
８．固定孔２に取り外し可能に挿通される六角ボルト６を備えたことを特徴とする保護具１０、１０Ａ。      
【０１２６】
この保護具１０、１０Ａによれば、固定手段としての六角ボルト６を付属しているので、便利である。
【産業上の利用可能性】
【０１２７】
本発明の保護具は、地中埋設管に接続体を埋め込むにあたって、埋設後の接続部の保護だけでなく、接続体の位置決めと地中埋設管への埋設にも用いることができる多目的性が要請される産業上の分野に用いることができる。
【図面の簡単な説明】
【０１２８】
【図１】本発明の保護具の一例を示すもので、（ａ）はその正面図、（ｂ）はその裏面図、（ｃ）は（ａ）のＡＡ断面図、（ｄ）は（ａ）のＢＢ断面図、（ｅ）はその外観斜視図
【図２】図１の保護具が用いられる接続体の一例を示すもので、（ａ）はその正面図、（ｂ）はその要部断面図、（ｃ）はその外観斜視図
【図３】図１の保護具を図２の接続体と組み合わせて用いる使用方法を説明するもので、（ａ）は保護具を型枠に取り付けた状態の断面図、（ｂ）は（ａ）を保護具側から見た図、（ｃ）は（ａ）にさらに接続体を設置した状態の断面図
【図４】図３に続いて保護具の使用方法を説明するもので、（ａ）は接続体の反対側に型枠を設置した状態の断面図、（ｂ）は（ａ）にコンクリートを打設した状態の断面図
【図５】図４に続いて保護具の使用方法を説明するもので、（ａ）はコンクリート打設後型枠を取り外した状態の断面図、（ｂ）は（ａ）から六角ボルトを取り外した状態の断面図
【図６】図５に続いて保護具の使用方法を説明するもので、（ａ）は地中埋設箱の接続体に管継手を挿入する状態の断面図、（ｂ）はその後、波付き管を接続した状態の図
【図７】本発明の保護具の他例を示すもので、（ａ）はその正面図、（ｂ）はその外観斜視図
【図８】図７の保護具の使用方法を説明するもので、（ａ）はその保護具を地中埋設箱に設置した状態の断面図、（ｂ）は（ａ）を保護具側から見た図、（ｃ）は（ａ）に管継手を設置した状態の断面図、（ｄ）は（ｃ）を管継手側から見た図
【図９】図１の保護具を用いた接続ブロックの一例を示すもので、（ａ）はその正面図、（ｂ）はその断面図、（ｃ）はその外観斜視図、（ｄ）、（ｅ）は接続ブロックの他例を示す正面図
【図１０】図９の接続ブロックの使用方法を説明するもので、（ａ）は接続ブロックを地中埋設箱に設置する状態の断面図、（ｂ）は（ａ）を地中埋設箱の外側から見た図、（ｃ）は（ａ）に管継手、波付き管を接続し、モルタル打設した状態の断面図、（ｄ）は（ｃ）を波付き管の方から見た図
【図１１】本発明の保護具の他例を示すもので、（ａ）はその正面図、（ｂ）はその側面図、（ｃ）はその底面図、（ｄ）は（ａ）のＡＡ断面図、（ｅ）はその外観斜視図
【図１２】図１１の保護具が用いられる接続体の他例を示すもので、（ａ）はその正面図、（ｂ）はその横面図、（ｃ）はその側面図、（ｄ）は、（ｂ９のＢＢ断面図、（ｅ）はその外観斜視図
【図１３】図１１の保護具を図１２の接続体と組み合わせて用いる使用方法を説明する斜視図
【図１４】本発明の背景技術となる保護具を用いた地中埋設箱の一例を示すもので、（ａ）はその地中埋設箱の全体を示す断面図、（ｂ）はそのうち保護具を設置した接続体部分の要部拡大断面図
【符号の説明】
【０１２９】
１〜１Ｂ    嵌合部
２          固定部（固定孔）
２Ａ        固定部（固定手段貫通部）
２ｂ        六角凹所
３〜３Ａ    補強桟
４〜４Ａ    フランジ部
５〜５Ａ    フタ部
６          固定手段（六角ボルト）
１０〜１０Ｂ  保護具
１１、１１Ａ  ベルマウス部
１２、１２Ａ  接続部
２０、２０Ａ  接続体
２１          周壁
３０          地中埋設箱
４０          接続ブロック
Ｋ          コンクリート
ＰＪ        管継手
ＰＷ        波付き管
ＷＦ        型枠
【図１】
0004750622.tif 000002
【図２】
0004750622.tif 000003
【図３】
0004750622.tif 000004
【図４】
0004750622.tif 000005
【図５】
0004750622.tif 000006
【図６】
0004750622.tif 000007
【図７】
0004750622.tif 000008
【図８】
0004750622.tif 000009
【図９】
0004750622.tif 000010
【図１０】
0004750622.tif 000011
【図１１】
0004750622.tif 000012
【図１２】
0004750622.tif 000013
【図１３】
0004750622.tif 000014
【図１４】
0004750622.tif 000015